(57)【要約】【課題】  アンカーのせん断試験を工事現場で簡便に実施することが可能なアンカー用せん断試験機を提供する。【解決手段】  躯体表面３に沿って配設される本体部１２およびこの本体部１２から躯体表面３に垂直な方向に突設された突出部１３を有して前記本体部１２がアンカー１の躯体表面３から露出した露出部１ａに着脱可能に連結することが可能になっている支圧板１１と、固定アンカー２１によって躯体表面３に着脱可能に固定される反力台２０と、反力台２０上に載置されると共に反力台２０に反力を取って支圧板１１の突出部１３に対して躯体表面３に沿った駆動力を付与する駆動源１４と、駆動源１４による荷重を測定する荷重測定器１５とを備えるアンカー用せん断試験機１０を用いる。【選択図】  図２
2005283224.tif 000002
【特許請求の範囲】
【請求項１】
躯体表面から一端が露出した状態で前記躯体に固着されたアンカーのせん断試験を行うせん断試験機であって、
前記躯体表面に沿って配設される本体部および前記本体部から前記躯体表面の反対側に突設された突出部を有し、前記本体部が前記アンカーの前記躯体表面から露出した露出部に着脱可能に連結することが可能になっている支圧板と、
固定アンカーによって前記躯体表面に着脱可能に固定される反力台と、
前記反力台上に載置されると共に前記反力台に反力を取って前記支圧板の突出部に対して前記躯体表面に沿った駆動力を付与する駆動源と、
前記駆動源による荷重を測定する荷重測定器と
を備えることを特徴とするアンカー用せん断試験機。
【請求項２】
前記反力台は、前記支圧板の本体部を跨ぐように門形に形成されており、前記固定アンカーが前記支圧板を介した両側に配置されていることを特徴とする請求項１に記載のアンカー用せん断試験機。
【請求項３】
前記支圧板の前記躯体に対する変位を測定する変位計を備えることを特徴とする請求項１または２に記載のアンカー用せん断試験機。
【発明の詳細な説明】
【技術分野】
【０００１】
本発明は、躯体表面から一端が露出した状態で前記躯体に固着されたアンカーのせん断試験を行うせん断試験機に関する。
【背景技術】
【０００２】
従来、コンクリート等の躯体に固着されたアンカーのせん断試験を行うせん断試験機としては、例えば、図５に記載された装置がある。図５に示すせん断試験機３０においては、躯体２の表面３に固定されたアンカー１は、油圧シリンダー３２の先端に設けられた連結具３３に連結されている。油圧シリンダー３２は、アンカー１が固定された躯体２の表面３とこの表面３に垂直な縁端４との間に跨がるように固定された反力台３１に設置されている。油圧シリンダー３２は、反力台３１を介して躯体２の縁端４に反力を取ることにより、躯体表面３に沿ったせん断力をアンカー１に加えることができる。アンカー１に加えられた荷重は、油圧シリンダー３２に取り付けられたロードセル３４及びこのロードセル３４に接続された荷重指示計３５によって測定される。また、躯体２に対する連結具３３の変位は、連結具３３に当接された変位計３６によって測定される。
また、特許文献１には、引張強度が機知の基準ピースの一端部に、アンカーの躯体表面から露出した部分（露出部）を着脱自在に連結するとともに、基準ピースにせん断力を与える引張機構が前記基準ピースの他端部に着脱自在に連結されたせん断試験機が記載されている。
【特許文献１】特開平１０−１９７４２７号公報
【発明の開示】
【発明が解決しようとする課題】
【０００３】
図５に示すようなせん断試験機の場合、油圧シリンダー３２の反力を取るために反力台３１を躯体２のコーナー部に設置する必要があり、躯体２の縁端４がないと試験をすることができない。また、大型で非常に重たく取り扱いが大変であるため、ほとんどの場合は研究所の実験室内などで使用されており、柱や壁や天井や床など、工事現場の躯体に固着されたアンカーを試験することは難しいのが実情である。
特許文献１に記載されたせん断試験機の場合、基準ピースが破断するか否かでアンカーのせん断強度が求められるため、引張強度が基準ピースの強度以上か以下といった簡易的な判定にしか用いることができない。例えば、荷重と変位の関係（荷重−変位曲線）を測定することは不可能である。また、基準ピースは、アンカーの露出部の外周に取り付けられた連結部材に横からネジで螺着されているので、アンカーの露出高さがある程度高くないと取り付けが難しい。このため、躯体表面からの露出高さが低いタイプのアンカーの試験に適用することができない。また、荷重が大きいとアンカーの曲がりや抜け出しと共に徐々に引張機構が浮き上がり、加力の方向が躯体表面に対して徐々に傾斜して引張方向になるので、せん断試験の精度や信頼性が低下するという問題もある。
【０００４】
本発明は、上記事情に鑑みてなされたものであり、アンカーのせん断試験を工事現場で簡便に実施することが可能なアンカー用せん断試験機を提供することを課題とする。
【課題を解決するための手段】
【０００５】
前記課題を解決するため、本発明は、躯体表面から一端が露出した状態で前記躯体に固着されたアンカーのせん断試験を行うせん断試験機であって、前記躯体表面に沿って配設される本体部および前記本体部から前記躯体表面の反対側に突設された突出部を有し、前記本体部が前記アンカーの前記躯体表面から露出した露出部に着脱可能に連結することが可能になっている支圧板と、固定アンカーによって前記躯体表面に着脱可能に固定される反力台と、前記反力台上に載置されると共に前記反力台に反力を取って前記支圧板の突出部に対して前記躯体表面に沿った駆動力を付与する駆動源と、前記駆動源による荷重を測定する荷重測定器とを備えることを特徴とするアンカー用せん断試験機を提供する。
このアンカー用せん断試験機においては、前記反力台は、前記支圧板の本体部を跨ぐように門形に形成されており、前記固定アンカーが前記支圧板を介した両側に配置されている構成を採用することも可能である。
また、前記支圧板の前記躯体に対する変位を測定する変位計を備えることが好ましい。
【発明の効果】
【０００６】
本発明のアンカー用せん断試験機によれば、供試アンカーが固着された躯体表面に反力台を固定することができるので、供試アンカーの位置が躯体縁端付近でなくとも、アンカーのせん断試験を行うことができる。
駆動源が支圧板の突出部に対して駆動力を付与するようになっているので、供試アンカーに係合される本体部を薄型化でき、躯体表面からの露出高さの低いアンカーを試験することも可能である。
反力台は、支圧板の本体部を跨ぐように門形に形成されているので、供試アンカーの曲がりや抜け出しが生じた場合でも、支圧板の上に反力台の載置部が配置されているので、支圧板の浮き上がりを抑制することができる。これにより、せん断力から引張力への変換を抑制して、せん断試験の精度や信頼性を確保することができる。
固定アンカーが支圧板を介した両側に施工されているので、支圧板からの反力を均等に受けることができる。従って、固定アンカーに掛かる力の方向が偏って測定が不正確になったり、固定アンカーに無理な力がかかって固定アンカーの曲がりや抜け出しが生じたりするおそれがなく、より正確に試験を実施することができる。
【発明を実施するための最良の形態】
【０００７】
以下、最良の形態に基づき、図面を参照して本発明を説明する。
図１は、本発明のアンカー用せん断試験機の一例を示す図面であり、図１（ａ）は平面図、図１（ｂ）は正面図、図１（ｃ）は左側面図である。図２は、図１のアンカー用せん断試験機の縦断面図である。
本形態例のアンカー用せん断試験機１０は、コンクリート等の躯体２の表面３に沿って配設される本体部１２およびこの本体部１２から前記躯体表面３の反対側に突設された突出部１３を有する支圧板１１と、固定アンカー２１によって躯体表面３に着脱可能に固定される反力台２０と、この反力台２０上に載置されると共に前記反力台２０に反力を取って支圧板１１の突出部１３に対して躯体表面３に沿った駆動力を付与する駆動源１４と、この駆動源１４による荷重を測定する荷重測定器１５と、前記支圧板１１の躯体２に対する変位を測定する変位計１６を備える。
【０００８】
ここで、試験対象のアンカー１（以下、供試アンカーという場合がある）は、躯体２の表面３から一端１ａ（露出部）が露出し、残りの部分（埋没部１ｂ）が躯体２に形成された下孔５に挿入されている。アンカー１は、金属拡張アンカー（埋没部１ｂが拡開することにより下孔５の内面に係合する方式）や接着系アンカー（接着剤の硬化により下孔５の内面に接着固定される方式）など種々の方式が知られており、本発明のせん断試験機１０は、躯体表面３からアンカー１の一端が露出するものである限り、いずれの方式のアンカーにも適用可能である。
【０００９】
図１，図２に示すように、支圧板１１は、長矩形板状の本体部１２と、この本体部１２の一端部１２ａから本体部１２の長手方向（図２の左右方向）に垂直に突設された突出部１３を有する。本体部１２および突出部１３は、剛性のある金属などから形成することができる。
支圧板１１は、後述する駆動源１４によって本体部１２の長手方向に沿って駆動され、躯体表面３に沿うせん断方向となるように、供試アンカー１に駆動力を伝達する。ここでは、支圧板１１は駆動源１４に押圧されることにより本体部１２の長手方向に沿って変位し、図２の左向きに供試アンカー１にせん断力を加える。以下の説明では、支圧板１１が移動方向に沿う軸線方向（図２の左右方向）を「加力方向」、支圧板１１の移動先の側（図２の左側）を「加力方向前側」、支圧板１１の移動元の側（図２の右側）を「加力方向後側」ということにする。
【００１０】
突出部１３は、図２に示すようにＬ字形に屈曲された板状部材であり、固定ネジ（固定具）１１ａによって本体部１２の一端１２ａ側に固定されている。また、本体部１２の前記一端１２ａに対向する側である他端１２ｂ側には、供試アンカー１の露出部１ａが係合される係合穴１２ｃ（貫通穴）が形成されており、供試アンカー１の露出部１ａに支圧板１１を着脱可能に連結することが可能になっている。係合穴１２ｃには、ブシュ１２ｄを装着することができる。
本体部１２の他端面１２ｂには、躯体２に対する支圧板１１の変位を測定する変位計１６が当接されている。
なお、ここでは、支圧板１１は、本体部１２と突出部１３とを別部材から形成してこれらを一体化した構成としたが、本発明は特にこれに限定されるものではなく、本体部１２と突出部１３とを一部材から形成しても良い。また、本体部１２と突出部１３とを別部材から形成する場合でも、これらを一体化する方式は特にネジに限定されるものではなく、溶接などによって接合することも可能である。
【００１１】
反力台２０は、支圧板１１の本体部１２を介した両側に配置された一対の脚部２２と、両脚部２２，２２を支圧板１１の本体部１２の上側（図２の上側；背板部２４が突設された側）で橋絡する板状の載置部２３とを有し、支圧板１１の本体部１２を跨ぐように門形に形成されている。ここでは、両脚部２２，２２は、支圧板１１の長手方向に沿う寸法が載置部２３よりも大きく取られており、躯体２の表面３上に安定して載置することができる。
載置部２３は、支圧板１１の本体部１２の上方に配置されており、支圧板１１の変位を妨げないように、載置部２３と本体部１２との間にはクリアランスＣが確保されている。このように、反力台は支圧板の本体部を跨ぐように配設されているので、供試アンカーの曲がりや抜け出しが生じた場合でも、支圧板の上に反力台の載置部が配置されているので、支圧板の浮き上がりを抑制することができる。支圧板の浮き上がりを抑制するためには、前記クリアランスＣは、なるべく小さいことが好ましい。
【００１２】
反力台２０の載置部２３の上には、駆動源１４としてのシリンダーが載置されている。シリンダー１４の先端面１４ａは、ロードセル１５を介して支圧板１１の突出部１３に対向配置されており、シリンダー１４の駆動力は支圧板１１の突出部１３に伝達される。ロードセル１５は、シリンダー１４の荷重を測定する荷重測定器１５として機能するものである。
載置部２３の上には、シリンダー１４の先端面１４ａと反対側の背面１４ｂに当接するように背板部２４が突設されており、シリンダー１４は、固定ネジ１４ｃによって反力台２０の背板部２４に固定されている。また、ロードセル１５は、固定ネジ１５ａによって支圧板１１の突出部１３に固定されている。
シリンダー１４の先端面１４ａとロードセル１５との間は、当接しているだけで互いに連結されてはおらず、ロードセル１５付きの支圧板１１と、油圧シリンダー１４付きの反力台２０とは、互いに分離可能になっている。
【００１３】
油圧シリンダー１４の先端面１４ａは、例えば平面であっても良いが、ここでは凸の曲面（例えば球面）になっている。先端面１４ａが凸状になっていることにより、先端面１４ａとロードセル１５とが接触し合う向きの許容範囲をより大きく確保でき、反力台２０を躯体２に固定し、支圧板１１を供試アンカー１に係合した後で、シリンダー１４の駆動方向と支圧板１１の長手方向とに多少のズレがあったとしても、シリンダー１４の駆動力を突出部１３に適切に伝達することができる。
【００１４】
各脚部２２，２２には、固定アンカー施工穴２５ａ〜２５ｃとレベル調整ネジ取付穴２６とがそれぞれ複数形成されている。
固定アンカー施工穴２５ａ〜２５ｃの個数や配置等は特に限定されるものではないが、本形態例においては、固定アンカー施工穴２５ａ〜２５ｃは、脚部２２の加力方向前側の端面２２ａ側に２箇所（符号２５ａ）と、脚部２２の加力方向後側の端面２２ｂ側に２箇所（符号２５ｂ）と、脚部２２の加力方向の中央部に２箇所（符号２５ｃ）、合計６箇所に形成されている。
【００１５】
固定アンカー施工穴２５ａ〜２５ｃは、反力台２０を躯体２に固定するための固定アンカー２１が挿通される貫通穴であり、図示したものは加力方向に垂直な方向に長い長穴であるが、円形穴などであってもよい。固定アンカー２１としては、例えばねじ込み式などにより躯体２に着脱可能に取り付けられる種類のアンカーが用いられる。
固定アンカー１は、支圧板１１に対して加力方向に垂直な位置（支圧板１１の両側）に２本単位で対称的に配置される。これにより、駆動源１４の駆動力に対して供試アンカー１から受ける反力が反力台２０に作用した際に、反力台２０が本来の加力方向から傾いてしまうといった不都合が避けられる。また、反力台２０を複数の固定アンカー１で固定することにより、反力台２０を躯体２により確実に固定することができ、供試アンカー１からの反力に耐えることができる。
固定アンカー施工穴２５ａ〜２５ｃに施工される固定アンカー１の本数は、荷重の大きさや躯体２の状態などの条件に応じて増減できる。例えば荷重が高い場合や躯体２の状態が悪い場合などには、アンカーの本数を４本または６本と増やすことができる。逆に荷重が比較的低い場合などには、図１に示すようにアンカーの本数を２本とすることができる。
【００１６】
固定アンカー施工穴のうち、反力台２０の脚部２２の両端面２２ａ，２２ｂ側のもの（符号２５ａ，２５ｂ）には、それぞれ脚部２２の端面２２ａ，２２ｂから貫通したボルト取付穴２９が形成されており、このボルト取付穴２９には受圧用のボルト２８を取り付けることができる。
図１，図２では、固定アンカー２１は、加力方向前側にあたる反力台２０の背板部２４と反対側の固定アンカー施工穴２５ａに挿入され、躯体２に施工されている状態を図示している。また、固定アンカー施工穴２５ａに連通したボルト取付穴２９には受圧ボルト２８が挿入されており、受圧ボルト２８の先端は該ボルト２８の軸に垂直な平面であり、固定アンカー２１の側面に当接している。
このように、受圧ボルト２８の先端２８ａを反力台２０の加力方向前側に配置された固定アンカー２１の側面に当接させることにより、固定アンカー２１が躯体２に施工された位置にズレがある場合でも、反力台２０が加力方向後側に向かう反力を受けた際に、力を反力台２０の両脚部２２，２２の固定アンカー２１に均等に作用させることができる。従って、固定アンカー２１が反力台２０をより確実に支持することができる。
【００１７】
レベル調整ネジ取付穴２６は、反力台２０の水平を調整するためのレベル調整ネジ２７が挿通される雌ネジ穴であり、図１（ａ）に示す平面視で４箇所に形成されている。
それぞれのレベル調整ネジ取付穴２６にはレベル調整ネジ２７（ボルト）が螺合されている。それぞれのレベル調整ネジ２７を回し、レベル調整ネジ２７の先端２７ａが反力台２０の脚部２２の底面２２ｃから露出する長さを調整することにより、反力台２０の水平を調整することができる。
【００１８】
本形態例のアンカー用せん断試験機１０の使用方法の一例を説明する。
まず、アンカー用せん断試験機１０の設置は、供試アンカー１の露出部１ａを支圧板１１の係合穴１２ｃに係合させ、レベル調整ネジ２７によって反力台２０の水平を調整する。固定アンカー施工穴２５ａを通してドリルなどにより躯体２に下孔６を開け、この下孔６に固定アンカー１を施工することで反力台２０を躯体２に固定する。
支圧板１１の加力方向後側の端面１２ｂに変位計１６を当接させる。ロードセル１５および変位計１６の出力信号は、図示しないコンピュータによって保存や解析することができる。
【００１９】
なお、図４に示すように、支圧板１１と躯体表面３との摩擦を低減するため、躯体表面３に支圧板１１を載置する際に、図５に示すように、フッ素樹脂（ＰＴＦＥ、テフロン（登録商標））の樹脂シート１７ａと薄鋼板１７ｂとが貼着された積層体１７を２枚、樹脂シート１７ａ側を向かい合わせて重ね合わせ、樹脂シート１７ａ同士の間に石鹸水１８の膜を形成したものを支圧板１１と躯体表面３との間に挟み込むことができる。これにより、より正確にせん断試験を行うことができる。また、この種の摩擦低減の方法は、支圧板１１上面と反力台２０の載置部２３との間のクリアランスに適用することも可能である。
【００２０】
駆動源１４を駆動させ、支圧板１１を介して供試アンカー１にせん断力を付与する。ロードセル１５の計測値によって、供試アンカー１に付与された荷重を測定することができる。また、変位計１６によって測定された変位を組み合わせることにより、荷重−変位曲線を求めることができる。
本形態例のアンカー用せん断試験機１０の場合、供試アンカー１が所定の荷重に耐えられることを確認する確認試験（非破壊試験）も、供試アンカー１の破断強度を計測する破壊試験も、実施することができる。
【００２１】
固定アンカー２１は躯体２に対して着脱可能であるので、せん断試験の終了後に除去することができる。つまり、固定アンカー２１を抜いて、躯体２から反力台２０を取り外し、アンカー用せん断試験機１０を試験の現場から回収することができる。
固定アンカー２１を抜いたあとに残った下孔６は、モルタル等を充填することによリ補修することができる。
【００２２】
このように、本形態例のアンカー用せん断試験機によれば、供試アンカーが固着された躯体表面に反力台を固定することができるので、供試アンカーの位置が躯体縁端付近でなくとも、アンカーのせん断試験を容易且つ簡便に実施することができる。また、躯体表面と躯体縁端に跨がるような大型の反力台（図５の符号３１参照）を使用する必要がなく、反力台をコンパクトに構成でき、試験機を小型化することができる。
駆動源が支圧板の突出部に対して駆動力を付与するようになっているので、供試アンカーに係合される本体部を薄型化しても、支圧板に対して駆動源の駆動力を確実に付与することができ、躯体表面からの露出高さの低いアンカーを試験することも可能となる。
【００２３】
反力台は、支圧板の本体部を跨ぐように門形に形成されているので、供試アンカーの曲がりや抜け出しが生じた場合でも、支圧板の上に反力台の載置部が配置されているので、支圧板の浮き上がりを抑制することができる。これにより、せん断力から引張力への変換を抑制して、せん断試験の精度や信頼性を確保することができる。
固定アンカーが支圧板を介した両側に施工されているので、支圧板からの反力を均等に受けることができる。従って、固定アンカーに掛かる力の方向が偏って測定が不正確になったり、固定アンカーに無理な力がかかって固定アンカーの曲がりや抜け出しが生じたりするおそれがなく、より正確に試験を実施することができる。
【００２４】
次に、本発明のアンカー用せん断試験機の改変例について説明する。
図３は、本発明のアンカー用せん断試験機の改変例を示す図面であり、図３（ａ）は平面図、図３（ｂ）は正面図である。
図３において、図１，図２で用いた符号と同一の符号は、図１，図２に示す構成と同一または同様であることを表し、重複する説明を省略する。
本改変例のアンカー用せん断試験機においては、支圧板１１が反力台２０の駆動源１４から加力方向前側（図３の左側）に延びており、図３（ａ）に示すように、平面視で支圧板１１と反力台２０の載置部２３とは重なり合っていない。
図３では、固定アンカー２１は、加力方向前側にあたる反力台２０の背板部２４側に形成された固定アンカー施工穴２５ｃに固定アンカー２１が挿入され、躯体２に施工されている。また、前記固定アンカー施工穴２５ｃに連通したボルト取付穴２９には受圧ボルト２８が挿入されており、受圧ボルト２８の先端は該ボルト２８の軸に垂直な平面であり、固定アンカー２１の側面に当接している。
【００２５】
このようにアンカー用せん断試験機１０を構成した場合でも、供試アンカーが固着された躯体表面に反力台を固定することができるので、供試アンカーの位置が躯体縁端付近でなくとも、アンカーのせん断試験を容易且つ簡便に実施することができる。
また、固定アンカーが支圧板を介した両側に施工されているので、支圧板からの反力を均等に受けることができる。従って、固定アンカーに掛かる力の方向が偏って測定が不正確になったり、固定アンカーに無理な力がかかって固定アンカーの曲がりや抜け出しが生じたりするおそれがなく、より正確に試験を実施することができる。
【００２６】
以上、本発明を好適な実施の形態に基づいて説明してきたが、本発明は上述の実施の形態に限定されるものではなく、その要旨を逸脱しない範囲で種々の改変が可能である。
例えば、上記各形態例においては、駆動源として支圧板の突出部を押圧するものを用いたが、本発明は特にこれに限定されるものではなく、支圧板の突出部を引っ張るもの、あるいは押圧と引張を切替可能なものを用いることもできる。駆動源が支圧板を引っ張ることで支圧板にせん断力を付与する場合でも、受圧用のボルトは、押圧の場合と同様に、加力方向前側にあたる箇所から固定アンカーに当接させられる。
駆動源としては、特に限定なく、油圧式、電動式、ポンプ式、ネジ式など、種々の駆動方式を利用することができる。
【産業上の利用可能性】
【００２７】
本発明は、柱や壁や天井や床など工事現場の躯体に固着されたアンカーのせん断試験に利用することができる。もちろん、研究所や試験所などでも好適に用いることができる。
【図面の簡単な説明】
【００２８】
【図１】本発明のアンカー用せん断試験機の一例を示す（ａ）平面図、（ｂ）正面図、（ｃ）左側面図である。
【図２】図１のアンカー用せん断試験機の縦断面図である。
【図３】本発明のアンカー用せん断試験機の改変例を示す（ａ）平面図、（ｂ）正面図である。
【図４】支圧板と躯体表面の間の摩擦を低減する方法の一例を説明する図である。
【図５】従来のアンカー用せん断試験機の一例を示す概略構成図である。
【符号の説明】
【００２９】
１…アンカー（供試アンカー）、１ａ…アンカーの露出部、２…躯体、３…躯体表面、
１０…アンカー用せん断試験機、１１…支圧板、１２…支圧板の本体部、１３…支圧板の突出部、１４…駆動源、１５…荷重測定器、１６…変位計、２０…反力台、２１…固定アンカー。
【図１】
2005283224.tif 000003
【図２】
2005283224.tif 000004
【図３】
2005283224.tif 000005
【図４】
2005283224.tif 000006
【図５】
2005283224.tif 000007